(57)【要約】【課題】  本発明は汚泥掻寄装置用チェーン伝動装置に関し、ノッチチェーンの利点を損なうことなくチェーンガードを不要とする新規な構造を提供することを目的とする。【解決手段】駆動ホイール及び従動ホイールにチェーンが無端に巻き掛けられ、チェーンに間隔をおいて掻寄板が固定される。チェーンはリンクの一対の板状部間が底面開口構造をなし、リンクの底面開口部よりスプロケット歯を係合させることで駆動可能であると同時に、駆動ピン62との係合を可能とするべくリンク底面にノッチを備える。ホイールは一対の駆動ピン支持板57, 58間にチェーンピッチと同一ピッチで駆動ピン62を円周方向に等間隔に配置する。また、駆動ピン支持板57, 58間にスプロケット円板60が配置され、駆動ピン62より外周側に、チェーンピッチと同一ピッチの歯部60Aを備え、チェーンのバレル44には歯部60Aを係合させると同時にチェーンのノッチには駆動ピン62を係合させる。【選択図】  図９
2010089050.tif 000002
【特許請求の範囲】
【請求項１】
チェーンと該チェーンに係合する駆動ホイールとからなり、前記チェーンは複数のリンクの連接構造をなし、各リンクは一対の板状部を一端のバレルにて一体化し、他端に連結ピン挿入孔を芯合して形成してなり、一連に隣接するリンクにおける一方のリンクのバレルと他方のリンクの連結ピン挿入孔は連結ピンにて連結され、かつ各リンクは一対の板状部間が少なくとも下面において開口されると共に、各リンクの一対の板状部の下面はノッチを形成しており、他方、前記駆動ホイールは、各々が軸線方向に延び、円周方向にチェーンにおけるリンクのピッチに応じた等間隔で離間して設けられ、回転中に各リンクにおける一対の板状部の下面に設けられたノッチと順次係合する駆動ピンと、各々が一対のリンク間の下面の開口部を介して半径方向に延出され、リンクのピッチに応じた等間隔で円周方向に間隔を置いて設けられた歯部とを備え、駆動ホイールの回転中に駆動ピンをノッチに歯部をバレルに係合させることで、チェーンと駆動ホイールとの動力伝達を行うようにされ、かつチェーンの長さ方向に間隔をおいたリンクの上面に汚泥掻寄装置の掻寄板への連結部が設けられた汚泥掻寄装置用チェーン伝動装置。
【請求項２】
駆動ホイールと、従動ホイールと、駆動ホイール及び従動ホイールに無端に巻き掛けられ、複数のリンクを連結ピンで一連に連接して成るチェーンと、駆動ホイールに回転駆動力を付与する回転駆動手段と、前記チェーンにおける長さ方向における間隔をおいたリンクの上面に形成される連結部において連結され、一方向に循環移動することにより汚泥の掻寄を行う掻寄板とを備えた汚泥掻寄装置であって、前記チェーンは複数のリンクの連接構造をなし、各リンクは一対の板状部を一端のバレルにて一体化し、他端に連結ピン挿入孔を芯合して形成してなり、一連に隣接するリンクにおける一方のリンクのバレルと他方のリンクの連結ピン挿入孔は連結ピンにて連結され、かつ各リンクは一対の板状部間が少なくとも下面において開口されると共に、各リンクの一対の板状部の下面はノッチを形成しており、前記駆動ホイールは、各々が軸線方向に延び、円周方向にチェーンにおけるリンクのピッチに応じた等間隔で離間して設けられ、回転中に各リンクにおける一対の板状部の下面に設けられたノッチと順次係合する駆動ピンと、各々が一対のリンク間の下面の開口部を介して半径方向に延出され、リンクのピッチに応じた等間隔で円周方向に間隔を置いて設けられた歯部とを備え、ホイールの回転中に歯部をバレルに駆動ピンをノッチに係合させることで、チェーンとホイールとの動力伝達を行い、前記従動ホイールはシーブホイール若しくはスプロケットホイール若しくはその双方である汚泥掻寄装置。
【請求項３】
請求項２に記載の発明において、従動ホイールは２個若しくは３個具備せしめられ、２個の場合は全従動ホイールをシーブホイールとし、３個の場合は駆動ホイールからチェーン移動方向と反対方向に見て最離間側の１個の従動ホイールをスプロケットホイールとし、残余の２個の従動ホイールをシーブホイールとした汚泥掻寄装置。
【発明の詳細な説明】
【技術分野】
【０００１】
この発明は汚泥掻寄装置用のチェーン伝動装置及びそのようなチェーン伝動装置を備えた汚泥掻寄装置に関するものである。
【背景技術】
【０００２】
沈殿池等の下水処理設備において汚泥の掻寄装置として一対の平行配置の無端状チェーン間に掻寄板を所定間隔にて張渡し、チェーンを駆動することにより処理槽の下面に沿って位置する掻寄板（フライトともいう）が処理槽底面に沿って汚泥ピットに向け移動せしめられ、処理槽の底面に堆積した汚泥の汚泥ピットへの掻寄を行うことができる掻寄装置がある。チェーンとしては通常のスプロケット係合タイプもあるが（特許文献１）、市町村の下水設備における設置例からすると所謂ノッチチェーンとしたものが最近は多い（特許文献２）。ノッチチェーンは一連のリンクを連結ピンにより無端連結した構造は、通常のスプロケット用チェーンと同様であるが、リンクの底面（腹面）にノッチを形成し、駆動用ホイールとしてはスプロケットホイールの代わりに、一対のディスク間に円周方向に等間隔に離間した駆動ピンを備えたものが使用される。ノッチチェーンは駆動部においては連結ピンをノッチと係合させることで動力伝達するが、従動部においてはリンクの内周腹面を従動ホイール（シーブ）の表面に当接させる構造であり、係合部が分散されるため通常のスプロケットホイールを使用した場合と比較してチェーンの寿命が延長する利点があると言われている。他方、ノッチチェーンにおける駆動ピンとノッチとの係合は通常のスプロケットホイールと比較して浅いため駆動用ホイールの部位で駆動ピンからノッチが外れてしまうこと（所謂歯飛び）を防止するため駆動用ホイールの外周に沿ってチェーンガードを設置している。
【特許文献１】特開平１１−２９０８４６号公報
【特許文献２】特開２００６−３２６４８３号公報
【発明の開示】
【発明が解決しようとする課題】
【０００３】
ノッチチェーンによる駆動は歯飛び防止のため駆動ホイールの外周部位にチェーンガードが必須であるが、沈殿池等の下水処理システムにおける使用においてはチェーンガードの駆動ホイール対向部位（隙間）に夾雑物が絡み付く懸念があった。また、チェーンガードは取り付け用のブラケットが必要で、この部位の構造が複雑化し、また、沈殿池の躯体構造によっては取り付け構造が複雑化し、極端な場合は困難となることさえあった。
【０００４】
本発明はかかる従来技術の問題点に鑑みなされたものであり、ノッチチェーンの利点を損なうことなくチェーンガードを不要とする新規な構造を提供することを目的とする。
【課題を解決するための手段】
【０００５】
この発明によれば、チェーンと該チェーンに係合する駆動ホイールとからなり、前記チェーンは複数のリンクの連接構造をなし、各リンクは一対の板状部を一端のバレルにて一体化し、他端に連結ピン挿入孔を芯合して形成してなり、一連に隣接するリンクにおける一方のリンクのバレルと他方のリンクの連結ピン挿入孔は連結ピンにて連結され、かつ各リンクは一対の板状部間が少なくとも下面において開口されると共に、各リンクの一対の板状部の下面はノッチを形成しており、他方、前記駆動ホイールは、各々が軸線方向に延び、円周方向にチェーンにおけるリンクのピッチに応じた等間隔で離間して設けられ、回転中に各リンクにおける一対の板状部の下面に設けられたノッチと順次係合する駆動ピンと、各々が一対のリンク間の下面の開口部を介して半径方向に延出され、リンクのピッチに応じた等間隔で円周方向に間隔を置いて設けられた歯部とを備え、駆動ホイールの回転中に駆動ピンをノッチに歯部をバレルに係合させることで、チェーンと駆動ホイールとの動力伝達を行うようにされ、かつチェーンの長さ方向に間隔をおいたリンクの上面に汚泥掻寄装置の掻寄板への連結部が設けられた汚泥掻寄装置用チェーン伝動装置が提供される。
【０００６】
この発明によれば、また、駆動ホイールと、従動ホイールと、駆動ホイール及び従動ホイールに無端に巻き掛けられ、複数のリンクを連結ピンで一連に連接して成るチェーンと、駆動ホイールに回転駆動力を付与する回転駆動手段と、前記チェーンにおける長さ方向における間隔をおいたリンクの上面に形成される連結部において連結され、一方向に循環移動することにより汚泥の掻寄を行う掻寄板とを備えた汚泥掻寄装置であって、前記チェーンは複数のリンクの連接構造をなし、各リンクは一対の板状部を一端のバレルにて一体化し、他端に連結ピン挿入孔を芯合して形成してなり、一連に隣接するリンクにおける一方のリンクのバレルと他方のリンクの連結ピン挿入孔は連結ピンにて連結され、かつ各リンクは一対の板状部間が少なくとも下面において開口されると共に、各リンクの一対の板状部の下面はノッチを形成しており、前記駆動ホイールは、各々が軸線方向に延び、円周方向にチェーンにおけるリンクのピッチに応じた等間隔で離間して設けられ、回転中に各リンクにおける一対の板状部の下面に設けられたノッチと順次係合する駆動ピンと、各々が一対のリンク間の下面の開口部を介して半径方向に延出され、リンクのピッチに応じた等間隔で円周方向に間隔を置いて設けられた歯部とを備え、ホイールの回転中に歯部をバレルに駆動ピンをノッチに係合させることで、チェーンとホイールとの動力伝達を行い、前記従動ホイールはシーブホイール若しくはスプロケットホイール若しくはその双方である汚泥掻寄装置が提供される。この汚泥掻寄装置において、従動ホイールは２個若しくは３個具備されるが、従動ホイールが３個の場合は、駆動ホイールからチェーン移動方向と反対方向に見たとき近接側の２個の従動ホイールをシーブホイールとし、同じく駆動ホイールからチェーン移動方向と反対方向に見たとき最離間側の１個の従動ホイールをスプロケットホイールとすることが好ましい。従動ホイールを２個で構成した場合は双方ともシーブホイールとする。
【発明の効果】
【０００７】
この発明によれば、チェーンはリンク底面にノッチを形成すると共に、底面に開口部を備えており、他方駆動ホイールはチェーンピッチに応じたピッチの駆動ピンと歯部を備え、駆動ホイールの駆動ピンをチェーンのノッチに、駆動ホイールの歯部をチェーンのバレルに夫々係合させることにより、荷重を分散させることで確実な動力伝達を行うことができ、かつチェーンガードが不要であり、掻寄装置用として夾雑物が絡み付く懸念がない点で優れている。しかも従動側では通常のスプロケットホイールに加え、シーブホイールの使用も可能であり、ノッチチェーンの利点も損なうことがない。
【０００８】
そして、チェーン伝動装置を汚泥掻寄装置における掻寄板の駆動に使用した場合、従動ホイールとしてシーブホイールとスプロケットホイールとを併用することにより荷重の均衡化及びこれに伴う装置寿命の延長が実現する。
【発明を実施するための最良の形態】
【０００９】
図１及び図２は汚泥掻寄装置を概略的に示す。図１において、１は汚水処理における沈殿池であり、沈殿池１の底部に汚泥ピット２が設けられ、沈殿池１の底面１Ａに堆積した汚泥は汚泥掻寄装置３によって汚泥ピット２に掻き寄せられる。汚泥掻寄装置３は駆動ホイール４、従動ホイール5, 6, 7、駆動ホイール４及び従動ホイール5, 6, 7に無端に巻き掛けられるチェーン８、並びに駆動ホイール４に回転駆動力を付与する回転駆動手段９から成るチェーン伝動装置と、チェーン８に間隔をおいて連結され、一方向に循環移動することにより汚泥の掻寄を行う掻寄板（フライトとも言う）１０とから構成される。駆動ホイール４及び従動ホイール７が沈殿池１における上部に設けられ、従動ホイール５，６が沈殿池１の底面近くに設けられる。チェーン８は沈殿池１の幅方向に平行に離間して一対設けられる（図２参照）。チェーン８の詳細構造は後述するが、一連のリンクを連結ピンにより連結すると共に、リンク下面（腹面）にノッチを形成したものである。掻寄板１０は図２に略示するように沈殿池１の幅方向に延びる板状に形成され、後述のように、幅方向に離間した一対のチェーンにおける対向したリンクの上面における連結部に固定される。そして、チェーン８の駆動時にチェーン８における沈殿池底面１Ａ（図１）に対向した部位及びそれに連結した掻寄板１０は沈殿池底面１Ａの上に固定された樹脂製レール１１に沿って矢印ａのように摺動案内され、沈殿池底面１Ａに堆積された汚泥は汚泥ピット２に掻寄される。他方、沈殿池の上部には型鋼製レール１２が設けられ、チェーン８における液面Ｌに沿った部位において掻寄板１０は型鋼製レール１２上を矢印ｂのように摺動案内される。また、回転駆動手段９は回転駆動モータ9-1と回転駆動モータ9-1の出力軸の回転運動を駆動ホイール４に伝達するチェーン−スプロケットホイールやベルト−プーリ等の動力伝達機構9-2とからなる。
【００１０】
次に汚泥掻寄装置３のチェーン８の詳細構造について説明すると、図３はチェーン８の隣接したリンクをその上面より解体状態にて示す。チェーンは全部品が合成樹脂の成形品であり、リンク１６と、連結ピン１７と、係止リング１８と、ロック駒１９とが基本的構成要素である。連結ピン１７は一端に頭部２０、他端に縮径部２２を形成する。頭部２０は図４に示すように二面幅となっている。連結ピン１７の縮径部２２には連結ピン外径と面一になるまで半径方向に延出する一対の係止突起２４を直径対立位置（図７参照）に形成している。各係止突起２４は連結ピン１７の端面から軸線に沿って延設されるが、連結ピン１７の大径部とは幾分離間して終端している。
【００１１】
図５に示すように、係止リング１８はその内周に全軸長に延びる直径対立位置する一対の挿入用溝２９と、溝２９との間の中間に形成される有底の係止溝３０とを備える。溝29, 30は連結ピン１７の係止突起２４を実質的なガタなく軸線方向のフリーな挿通を可能とする幅を持つ。挿入用溝２９は軸線方向の全長に延びているが、係止溝３０については係止リング１８の外面から軸線方向の途中で終端している（図３参照）。
【００１２】
図６に示すようにロック駒１９は内径Ｒが連結ピン１７の縮径部２２の外径より幾分大きいリングを円周方向で約３０度切除して成る切除部１９Ａを有して構成される。そのため、ロック駒１９は正面より見ると二股部３２を呈する。切除部１９Ａが中心角で３０度程度であるため、連結ピン１７の縮径部２２への装着は二股部３２を弾性的に変形させることで行われ、装着後は二股部３２はその弾性により本来の内径Ｒに復帰し、二股部３２の先端は連結ピン外径（縮径部２２の外径）に対し半径方向内方の突出部となり、縮径部２２との係合状態をその弾性下で維持する。更に、二股部３２の先端３２Ａは図３に示すように先細となっており、ロック駒１９の挿入作業がスムースとなる。ロック駒１９は切除部１９Ａと直径対立位置する部位において外周に張出部３４を備え、張出部３４は半径方向に突出しており、張出部３４は内面側はロック駒１９の残余の部位と面一であるが、外面側は軸線方向外向きに幾分張り出しており、この軸線方向突出部に抜き工具との係合凹部３６（図６）が形成される。
【００１３】
図３に示すように、各リンク１６は一対の板状部３８を備え、板状部３８は夫々狭窄部38-1と拡開部38-2とを備え、一対の板状部３８は狭窄部38-1、拡開部38-2同士が対向するように配置され、芯合した連結ピン挿入孔４２が形成される。板状部３８の拡開部38-2は、その外面側に、筒状突出部38-2Aを形成する。-一対の板状部３８の狭窄部38-1間に連結ピン挿入孔４０を有したバレル４４（筒状部）が一体成形されている。一対の板状部３８間はバレルから対向する拡開部38-2までの間は開口部Ｓとなっており、この一つのリンクの拡開部38-2間の開口部Ｓに隣接するリンク１６の狭窄部38-1が図７のように挿入され、隣接するリンク１６間で連結ピン挿入孔40, 42が芯合状態とされる。そして、連結ピン１７が、縮径部２２より、片側のピン挿入孔４２、バレル４４の連結ピン挿入孔４０及び反対側のピン挿入孔４２に挿入され、連結ピン１７の頭部２０は対向する外側板状部３８の側面における筒状突出部38-2Aに当接され、反対側の板状部３８の側面における筒状突出部38-2Aから連結ピン１７の先端が突出する。
【００１４】
板状部３８の側面から突出される連結ピン１７の先端に係止リング１８が挿入される。このとき、係止リング１８の挿入用溝２９を係止突起２４に合わせることで係止リング１８は連結ピン１７の係止突起２４から完全に抜けるまで挿入可能である。そして、連結ピン１７に対して係止リング１８を９０度回し、連結ピン１７上で係止リング１８を幾分軸線方向の外側に引くように動かすことで、連結ピン１７の係止突起２４を係止リング１８の有底の係止溝３０の底面３０Ａに係合させることができる。そして、ロック駒１９がその二股部３２が連結ピン１７の縮径部２２を跨ぐように、かつ二股部３２の先細先端３２Ａがリンク１６の板状部３８の側面における筒状突出部38-2Aと係止リング１８との間に位置するように半径方向外側より装着される。ロック駒１９は、その二股部３２の厚みδを筒状突出部38-2Aと係止リング１８との対向面との隙間に対して適切に設定することにより、ロック駒１９をこの隙間の部位にスムースにかつ実質的なガタ付きなしに装着することができる。そのため、係止突起２４と係止溝３０との係合状態を保持することができる。ロック駒１９の装着時に、最初は切除部１９Ａにおいて二股部３２の先端は連結ピン１７の縮径部２２に当接するが、ロック駒１９をその張出部３４においてプラスチックハンマーなどの工具で打撃することで、二股部３２はその弾性に抗して拡開され、二股部３２は連結ピン１７を通過され、二股部３２は弾性によって本来の状態に復帰する。ロック駒１９の挿入は、同時に、その厚み分だけ係止リング１８を軸線方向外側に変位せしめ、これは、連結ピン１７の係止突起２４と係止リング１８の有底の係止溝３０との係合を深める（軸方向に緩まない）。そのため、ロック駒１９の装着状態では、係止突起２４と係止溝３０との係合状態は強固に維持される。ロック駒１９は、その二股部３２が弾性により本来の位置に復帰した状態では３０度の切除部１９Ａを除いた全周で連結ピン１７の縮径部２２と係合しており、ロック駒１９が外れてしまうことはなく、連結ピン１７により隣接したリンク１６は連結状態に維持される。図７は連結ピン１７により隣接したリンク１６の連結が完了した状態を示す。
【００１５】
図１に示すようにチェーン８を無端状態に組み立てた状態において、所定の個数毎に図１で説明した掻寄板１０の連結部を有したリンク１６が使用される。図８はそのような掻寄板１０の連結部４９を有したリンク１６を示しており、連結部４９は板状部３８と一体に成形され、板状部３８より片持に上方に突出形成される。連結部４９を有したリンク１６は図９にも示され、連結部４９を有したリンク１６は沈殿池の幅方向に離間した一対のチェーン８間で対向して設置され、この対向したリンク１６間に図１の掻寄板１０が固定される（図９にチェーン８の長手方向に適宜の数毎のリンク１６の連結部４９に対する掻寄板１０の取り付け状態が模式的に示される）。その結果、図１で説明のようにチェーン８のループに沿って間隔おいて掻寄板１０が位置した構造が実現される。
【００１６】
図１及び図７から分かるように、一つのリンク１６に対し隣接するリンク１６を連結ピン１７により連結した状態において、その一つのリンク１６の一対の板状部３８間に開口部Ｓが形成され、開口部Ｓはこの実施形態においては、上下に開口しており、後述のようにこの開口部Ｓにチェーンを駆動するホイールの歯部が延出位置する。後述のホイールの歯部との係合機能からすると板状部３８間における歯部の係合が可能であれば、開口部Ｓは上面が閉じたものであってもよい。また、図８に示す一つのリンク１６の側面図において、板状部３８の底面は連結ピン挿入孔４２とバレル４４との間においてノッチ５０を備え、ノッチ５０はこの発明のチェーン駆動ホイールの駆動ピンの係合部である。ノッチ５０は前面が比較的急峻で後面が緩くなった実質的に逆Ｖの溝形状をなし、ノッチ５０の前後の板状部３８の底面（又は腹面）３８Ａは幾分の凹面をなし、この凹面形状は、チェーン伝動系における従動ホイールをシーブホイールとした場合において、チェーンをシーブホイールの周面に巻きかけたとき、隣接するリンクの板状部３８の底面３８Ａがシーブホイールの周面形状をスムースに倣うような凹面形状を呈する。
【００１７】
次に、図１の掻寄装置３における駆動ホイール４の詳細構造について図９〜図１１を参照して説明すると、駆動ホイール４は従来のスプロケットホイール−チェーン伝動装置における歯部による伝動とノッチチェーン伝動装置における駆動ピンによる伝動とを順次若しくは同時的に行うものである。即ち、駆動ホイール４は、図１０に示すように、円板状の支持本体５４を備え、その中心ハブ部54-1に回転軸５６が挿入され、支持本体５４と回転軸５６はキー等の適宜の手段により固定されている。回転軸５６は図１の動力伝達機構9-2におけるスプロケットホイールやプーリ等が連結され、回転駆動モータ9-1からの回転駆動力が駆動ホイール４に伝達されるようになっている。図１０において、支持本体５４の両側には環状の駆動ピン支持板57, 58が回転軸５６と同心に配置される。支持本体５４と隣接して環状のスプロケット円板６０が位置され、スプロケット円板６０は外周にチェーンのリンクピッチと等しいピッチで円周方向に等間隔に配置した歯部（スプロケット部）６０Ａを備える（図９も参照）。駆動ピン６２は歯部６０Ａより内側においてチェーンのリンクピッチと等しいピッチで円周方向に等間隔に配置されており、駆動ピン６２は中間部はスプロケット円板６０を挿通され、その両端に外径が縮小したねじ部62-1を備え、ねじ部62-1は駆動ピン支持板57, 58に形成された開口より両側に軸外方に突出している。そして、ボルト６６は、駆動ピン支持板５８とスプロケット円板６０との間にはスペーサ６４を、支持本体５４と駆動ピン支持板５７との間にはスペーサ６３を夫々介在させて駆動ピン支持板５８、スプロケット円板６０、支持本体５４及び駆動ピン支持板５７の順に挿通され、駆動ピン支持板５７から突出するボルト６６の端部にナット６８が螺合される。また、駆動ピン支持板57, 58から突出したねじ部62-1にナット７０が螺合締結され、図３から図８のチェーンのための駆動ホイールとして組み立てられる。
【００１８】
以上説明のように、この発明においては、チェーン８は通常のノッチチェーンと同様なノッチ５０をリンクの腹面に備え、他方、駆動ホイールはチェーン８のバレル４４に係合する歯部６０Ａ（スプロケット部）と、チェーン８のノッチ５０に係合する駆動ピン６２とを備える。図１の概略図においても駆動ホイール４における歯部６０Ａ及び駆動ピン６２が模式的に図示され、これらがチェーン８のバレル及びノッチに係合することで、駆動モータ9-1の回転が駆動ホイール４に伝達され、駆動ホイール４の回転（図１の矢印ｃ方向）がチェーン８へ伝達される。この動力伝達方式を図９を参照して更に詳細に説明すると、矢印ｃ方向における駆動ホイール４の回転により、駆動ホイール４のスプロケット円板６０の歯部６０Ａはチェーンを構成するリンク１６における一対の板状部３８間の開口部Ｓに入り込み、歯部６０Ａはその回転方向前縁60A-1がバレル４４に係合する（図１１も参照）。そして、バレル４４に対する歯部６０Ａの係合に加え駆動ピン６２はチェーンを構成するリンク１６における一対の板状部３８の底面のノッチ５０に係合する。即ち、駆動ホイール４の回りを巡る際に、歯部６０Ａとバレル４４との係合及び駆動ピン６２とノッチ５０との係合が並列的（順次若しくは同時的の双方を含む）に惹起せしめられ、駆動ホイール４からチェーン８への動力伝達が行われる。駆動ピンとノッチとの係合のみで動力伝達を行わせる通常のノッチチェーン方式の場合は駆動ピンとノッチとの係合がどうしても浅いため、チェーンが駆動ホイールを回り巡るときに、ノッチ（チェーン）の駆動ピン（駆動ホイール）からの離脱が起き易いため、駆動ホイールに外周に近接してチェーンガードが必要であったが、本発明ではチェーン８が駆動ホイール４の回りを巡る際に、駆動ピン６２とノッチとの係合に加えて、歯部６０Ａとバレル４４との係合が起こり、歯部６０Ａとバレル４４との係合は通常のチェーン−スプロケットと同様で深いため、通常のノッチチェーンにおいて必要となるチェーンガードはなくても、駆動ホイール４からチェーン８が離脱してしまうことは起こらない。この発明ではチェーンガードが不要なため、沈殿池における掻寄装置としての使用においてチェーンガードへの夾雑物の絡み付き等によるチェーンの噛み込み不良等の恐れがない。
【００１９】
チェーン伝動系における従動側については、通常のスプロケットホイールでもシーブホイールでもよい。通常のスプロケットホイールの場合はスプロケットホイール外周の歯部がチェーンを構成するリンク１６における一対の板状部３８間の開口部Ｓに入り込み、バレル４４に係合することになる。また、シーブホイールの場合は、チェーンがシーブホイールを巡るとき、チェーンのリンクを構成する一対の板状部３８の底面３８Ａの凹面の連接がシーブホイールの外周とこれを倣うように面接触するため、チェーンの円滑な移動が得られる。図１のように二個の従動ホイール５，６を沈殿池１の底面に沿って設け、沈殿池の液面側（上部側）に一個の従動ホイール７を設け、駆動側も含めると都合４個のホイールを設置した４ホイール式の場合は、底面の従動ホイール５，６をシーブホイールとし、液面側の従動ホイール７をスプロケットホイールとするのが好ましい。即ち、従動ホイールにかかる荷重は駆動ホイール４からチェーンの駆動方向（矢印ｃ）と反対方向に見たときの最近接の従動ホイール５＞中間の従動ホイール６＞駆動ホイール４からチェーンの駆動方向と反対方向に見たときの最離間の従動ホイール７となる。シーブホイールは面接触であるため磨耗が少ないという利点があるが、全ての従動ホイールをシーブホイールとすると磨耗の進行が早くなる恐れがある。そこで、高荷重側の従動ホイール５，６をシーブホイールとし、低荷重の従動ホイール７だけはスプロケットホイールとすることによりシーブホイールでの荷重負担を軽減し、３個の従動ホイール5, 6, 7間で荷重の均衡化を図ることができ、延いてはチェーン及び駆動ホイールも含めたホイールの磨耗を縮減し、長寿命化が可能となる。尚、図１において、従動ホイール７を省略した３ホイールの配置も可能であり、この場合は２個の従動ホイールはどちらもシーブホイールとする。
【図面の簡単な説明】
【００２０】
【図１】図１は沈殿池に設置されたこの発明の掻寄装置の側面図である。
【図２】図２は同じく沈殿池に設置されたこの発明の掻寄装置の正面図（図１のII−II線に沿った矢視図）である。
【図３】図３はこの発明のホイールを使用するチェーンにおける隣接リンクの連結前の各パーツの断面図である。
【図４】図４は図３のチェーンの構成部品である連結ピンの正面図であり、図３のIV−IV線に沿った矢視図である。
【図５】図５は図３のチェーンの構成部品である係止リングの正面図であり、図３のV−V線に沿った矢視図である。
【図６】図６は図３のチェーンの構成部品であるロック駒の正面図であり、図３のVI−VI線に沿った矢視図である。
【図７】図７は図３のチェーンの組立て状態の断面図である。
【図８】図８は図３のチェーンの構成部品であり、下面にノッチ及びシーブホイールと対向する湾曲面を形成したリンク（板状部）の側面図であり、図３のVIII−VIII線に沿った矢視図である。
【図９】図９は図３〜図８のチェーンと噛合状態にあるこの発明の駆動ホイールの正面図であり、図１１のIX−IX線に沿った矢視図である。
【図１０】図１０は図９のホイールの断面図であり、図９のX−X線に沿った矢視図である。
【図１１】図１１はこの発明のホイールの、チェーンにおける駆動ピン及び歯部との係合状態を表す図であり、図９のXI方向より見た図である。
【符号の説明】
【００２１】
１…沈殿池
２…ピット
３…掻寄装置
４…駆動ホイール
5, 6, 7…従動ホイール
８…チェーン
９…回転駆動手段
１０…掻寄板
１６…リンク
１７…連結ピン
１８…係止リング
１９…ロック駒
３８…板状部
３８Ａ…リンクの底面
40, 42…連結ピン挿入孔
４４…バレル
５０…ノッチ
５４…支持本体
５６…回転軸
57, 58…駆動ピン支持板
６０…スプロケット円板
６０Ａ…歯部
６２…駆動ピン
【図１】
2010089050.tif 000003
【図２】
2010089050.tif 000004
【図３】
2010089050.tif 000005
【図４】
2010089050.tif 000006
【図５】
2010089050.tif 000007
【図６】
2010089050.tif 000008
【図７】
2010089050.tif 000009
【図８】
2010089050.tif 000010
【図９】
2010089050.tif 000011
【図１０】
2010089050.tif 000012
【図１１】
2010089050.tif 000013